(57)【要約】【課題】  容易な施工、短工期、ローコストで構築でき、主要部材の生産についても現地等で簡単に行え、大量供給が可能なＦＲＰサンドイッチパネル工法建物を提供する。【解決手段】  断熱材からなる芯材をガラス繊維強化プラスチックの表層で覆ってなるＦＲＰサンドイッチパネルＰ１〜Ｐ３を、床パネル５，６、壁パネル７，８、屋根パネル１０として用いた建物である。横断面形状がＬ形、平形、および溝形のうちのいずれかの形状のＦＲＰサンドイッチパネルＰ１〜Ｐ３を複数枚組み合わせて、外壁３、床２、および屋根４のいずれも構成する。各ＦＲＰサンドイッチパネルＰ１〜Ｐ３は、構造材と内外装を兼用する。【選択図】        図１
2015045125.tif 000002
【特許請求の範囲】
【請求項１】
断熱材からなる芯材をガラス繊維強化プラスチックの表層で覆ってなるＦＲＰサンドイッチパネルを用いた建物であって、
横断面形状がＬ形、平形、および溝形のうちのいずれかの形状のＦＲＰサンドイッチパネルを複数枚組み合わせて、外壁、床、および屋根のいずれもが構成されたことを特徴とするＦＲＰサンドイッチパネル工法建物。
【請求項２】
請求項１に記載のＦＲＰサンドイッチパネル工法建物において、１棟の建物に用いる前記ＦＲＰサンドイッチパネルの横断面形状の種類数を６種類以下とし、同種類のＦＲＰサンドイッチパネルを、前記外壁、床、および屋根のうちの複数箇所に用いたＦＲＰサンドイッチパネル工法建物。
【請求項３】
請求項１または請求項２に記載のＦＲＰサンドイッチパネル工法建物において、外壁の四隅に、出隅が外向きとなるように、Ｌ形のＦＲＰサンドイッチパネルを用いたＦＲＰサンドイッチパネル工法建物。
【請求項４】
請求項３に記載のＦＲＰサンドイッチパネル工法建物において、前記外壁の各隅に配置されたＬ形のＦＲＰサンドイッチパネルの片側の隣に配置されるパネルをＬ形のＦＲＰサンドイッチパネルとして、これら隣合う２つのＦＲＰサンドイッチパネルにより溝形のコア構成したＦＲＰサンドイッチパネル工法建物。
【請求項５】
請求項１ないし請求項４のいずれか１項に記載のＦＲＰサンドイッチパネル工法建物において、前記床が、上向きとした溝形のＦＲＰサンドイッチパネルと、この溝形のＦＲＰサンドイッチパネルの並びの上に平形のＦＲＰサンドイッチパネルとで構成され、前記床を構成する溝形のＦＲＰサンドイッチパネル内に、重りとなる土砂を入れたＦＲＰサンドイッチパネル工法建物。
【請求項６】
請求項１ないし請求項５のいずれか１項に記載のＦＲＰサンドイッチパネル工法建物において、隣合うＦＲＰサンドイッチパネルを接続する接合部材が、隣合う両ＦＲＰサンドイッチパネルの縁部に渡って表裏にそれぞれ重ねられる平板状または断面Ｌ字形の条材であって、ガラス繊維強化プラスチック製であるＦＲＰサンドイッチパネル工法建物。
【請求項７】
請求項１ないし請求項６のいずれか１項に記載のＦＲＰサンドイッチパネル工法建物において、前記外壁の一部に、この外壁に用いた平形のＦＲＰサンドイッチパネルと同じ幅および高さの開口付きパネルを設けたＦＲＰサンドイッチパネル工法建物。
【請求項８】
請求項１ないし請求項７のいずれか１項に記載のＦＲＰサンドイッチパネル工法建物において、前記ＦＲＰサンドイッチパネルで構成された屋根の上に、任意の材質の屋根葺き材を設けたＦＲＰサンドイッチパネル工法建物。
【請求項９】
断熱材からなる芯材をガラス繊維強化プラスチックの表層で覆ってなり、横断面形状がＬ形、平形、および溝形のうちのいずれかの形状であるＦＲＰサンドイッチパネルを準備する過程と、
前記いずれかの横断面形状のＦＲＰサンドイッチパネルを地盤上に配置して床を構築する過程と、
この構築された床上の四隅にＬ形の横断面形状のＦＲＰサンドイッチパネルを配置した後、四隅のＦＲＰサンドイッチパネルの間に他のＦＲＰサンドイッチパネルを配置して外壁を構築する過程と、
この構築された外壁上に前記いずれかの横断面形状のＦＲＰサンドイッチパネルを並べて屋根を構築する過程とを含み、
前記各過程におけるＦＲＰサンドイッチパネルの運搬を全て人手で行うことを特徴とするＦＲＰサンドイッチパネル工法建物の構築方法。
【請求項１０】
断熱材からなる芯材に、未硬化のガラス繊維強化プラスチックを塗布して前記芯材の全体を覆う表層を形成してなり、断面形状がＬ形または溝形であって、仮設の住宅の構造体として壁および床に要求される強度を有し、かつ作業者２人で持って運べる重量であり、建物の外壁、床、および屋根のいずれかに使用されるＦＲＰサンドイッチパネル。
【発明の詳細な説明】
【技術分野】
【０００１】
この発明は、仮設住宅や発展途上国向け住宅等とされるＦＲＰサンドイッチパネル工法建物およびその構築方法に関する。
【背景技術】
【０００２】
国内における巨大地震等の大規模な自然災害に対して、非常に多くの応急仮設住宅が構築されている。これらの仮設住宅は、軽量鉄骨造、ユニット式等とされている。また、発展途上国では、各種の簡易な構造の住宅が、低所得者の住宅として多数構築されている。
一方、断熱性、耐久性、軽量性等に優れた建材として、建築用ＦＲＰサンドイッチパネルが提案され（例えば、特許文献１）、住宅等の建物の一部に使用されている。ＦＲＰサンドイッチパネルは、断熱材やその他、用途に応じた芯材をガラス繊維強化プラスチックの表層で覆ったパネルである。
【先行技術文献】
【特許文献】
【０００３】
【特許文献１】特開２００２−２５６６３４号公報
【発明の概要】
【発明が解決しようとする課題】
【０００４】
従来の応急仮設住宅は、応急化に応じて数日程度で構築できるようにした組み立て式のものが種々提案されているが、大規模災害時に必要な戸数を構築するには、資材を製造する体制が不十分である。また、いつ発生するかがわからない災害に常に対応し、現場での施工が行い易いように部品化した壁、床パネルや、建物ユニット等につき、生産量を確保し在庫しておくことは困難である。コストにおいても改善の検討が必要である。
また、途上国においては、劣悪な住環境や大規模な住宅需要を抱えている国々も多く、これらの住宅問題の解決のために、安価な建設費で大量に供給できる構造の建物が望まれている。
【０００５】
なお、ＦＲＰサンドイッチパネルは、軽量化、耐久性等において優れた建材であり、各種の用途に用いられているが、その使用例や提案例は、いずれも、建物の一部での使用に限られている。
【０００６】
この発明の目的は、容易な施工、短工期、ローコストで構築でき、主要部材の生産についても現地等で簡単に行え、大量供給が可能なＦＲＰサンドイッチパネル工法建物、およびその構築方法を提供することである。
この発明の他の目的は、この発明のＦＲＰサンドイッチパネル工法建物に使用でき、また手作業で製造することができ、さらに運搬や建付け時に重機の使用が不要であって途上国や災害時においても、施工が簡単に行えるＦＲＰサンドイッチパネル及びその工法を提供することである。
【課題を解決するための手段】
【０００７】
この発明のＦＲＰサンドイッチパネル工法建物は、断熱材からなる芯材をガラス繊維強化プラスチックの表層で覆ってなるＦＲＰサンドイッチパネルを用いた建物であって、横断面形状がＬ形、平形、および溝形のうちのいずれかの形状のＦＲＰサンドイッチパネルを複数枚組み合わせて、外壁、床、および屋根のいずれもが構成されたことを特徴とする。
すなわち、外壁、床、および屋根を全てパネル構造としたパネル工法建物とし、そのパネルにＦＲＰサンドイッチパネルを用いる。前記芯材となる断熱材は、各種の発泡樹脂等を用いるが、断熱性があり、かつ建物の外壁、床、屋根として用いられる強度を有するＦＲＰサンドイッチパネルを構成できるものであれば、特に限定されない。
【０００８】
この構成によると、芯材と表層とを一体化したＦＲＰサンドイッチパネルが建物の構造体と内外装を兼ねる。この構造体と内外装を兼ねるＦＲＰサンドイッチパネルにより、外壁、床、および屋根を全て構成するため、ＦＲＰサンドイッチパネルを接続して組み立てるだけで建物を構築することができる。ＦＲＰサンドイッチパネルは、芯材に発泡樹脂等を用いることで、建物構造上で必要な強度や断熱性を持つパネルとすることができ、かつ軽量なパネルとできる。そのため、必要な大きさで必要強度を持つものを、人手で運搬可能な重量に収めることができる。しかも、断熱材は所定長さに製造現場で切断し、または所定長さとして準備した芯材に、ガラス繊維強化プラスチックの表層を手作業よる塗布等で施すことにより生産できる。そのため、特別な製造機械を必要としない。
前記ＦＲＰサンドイッチパネルは、横断面形状がＬ形、平形、および溝形のうちのいずれかの形状としておくことで、その組み合わせによって、外壁、床、および屋根のいずれもが構成でき、種類数が少なくて済む。しかも、前記Ｌ形、平形、および溝形のＦＲＰサンドイッチパネルを組み合わせることで、自由な間取りが実現できる。
【０００９】
このように、ＦＲＰサンドイッチパネルにより外壁、床、および屋根を全て構成できて、建材の種類数を削減でき、各部の接合構造も統一でき、かつ各ＦＲＰサンドイッチパネルが軽量なものとできるため、特別な組立用の機材、特殊な施工技術が不要であり、だれでもが簡単に構築でき、施工性に優れる。ＦＲＰサンドイッチパネルを用いるため、外装となる塗装や内装となるクロス貼り等を省略できる。ＦＲＰサンドイッチパネル自体も、特別な製造機械を要することなく、芯材と塗布用のＦＲＰ用資材を準備しておくことで、建設現場等でも簡単に製造できるため、量産性に優れ、ＦＲＰサンドイッチパネルの完成品を準備しておく必要がない。これらより、このＦＲＰサンドイッチパネル工法建物によると、大規模自然災害の発生時等に、短期での大量供給が可能になる。
また、日本国内における仮設住宅と途上国で大量供給が要望される住宅とは、要求水準に共通性があるため、共通化を図ることで、国内と途上国とで必要に応じて相互に供給し合うことできる。
このように、ローコスト、短工期、容易な施工で構築でき、主要部材の生産についても現地等で簡単に行え、かつ短期間での大量供給が可能になる。
また、断熱材からなる芯材を用いたＦＲＰサンドイッチパネルは、断熱性および表層の耐候性や意匠性も優れるため、コストに対応する住環境の向上にも繋がる。
【００１０】
この発明のＦＲＰサンドイッチパネル工法建物において、１棟の建物における前記ＦＲＰサンドイッチパネルの横断面形状の種類を６種類以下、好ましくは４種類以下、例えば３種類とし、同種類のＦＲＰサンドイッチパネルを、前記外壁、床、および屋根のうちの複数箇所に用いても良い。ここで言う種類は、相似形であっても、寸法が異なる場合は異なる種類とする。
このように、同種類のＦＲＰサンドイッチパネルを外壁、床、および屋根のうちの複数箇所に用いることで、ＦＲＰサンドイッチパネルの種類数を少なくできる。ＦＲＰサンドイッチパネルの種類数を６種類以下と少なくすることで、ＦＲＰサンドイッチパネルの生産の効率化、および形状統一による接合作業の統一等による簡易な施工が実現できる。
前記各種類のＦＲＰサンドイッチパネルは、互いに全て同一幅、または基準幅の倍数幅にしておくと、より一層の生産の効率化が図れる。
ＦＲＰサンドイッチパネルの長さについては、各横断面形状のものについて、１種類または２種類に統一することが好ましいが、種類数を増やしても良い。ＦＲＰサンドイッチパネルを生産するにつき、長尺の断熱材を準備しておき、必要長さに切断した後、ガラス繊維強化プラスチックを塗布することで生産することができるためである。
【００１１】
この発明のＦＲＰサンドイッチパネル工法建物において、外壁の四隅に、出隅が外向きとなるように、Ｌ形のＦＲＰサンドイッチパネルを用いることが好ましい。
Ｌ形のＦＲＰサンドイッチパネルは、曲げ剛性が高いため、これを外壁の四隅に用いることで、特に部材を追加することなく、建物全体の剛性を高めることができる。またＬ形のＦＲＰサンドイッチパネルは自立できるため、建物の組立時に先に４隅のＬ形のＦＲＰサンドイッチパネルを設置することで、これを利用して他のＦＲＰサンドイッチパネルの組付けることができ、施工性も向上する。
【００１２】
このように外壁の四隅にＬ形のＦＲＰサンドイッチパネルを用いる場合に、各隅に配置されたＬ形のＦＲＰサンドイッチパネルの片側の隣に配置されるパネルをＬ形のＦＲＰサンドイッチパネルとして、これら隣合う２つのＦＲＰサンドイッチパネルにより溝形のコア部を構成しても良い。この場合は、隣に配置したＬ形のＦＲＰサンドイッチパネルは、片方の辺が袖壁として屋内に突出することになる。
このように２つのＦＲＰサンドイッチパネルにより溝形のコア構成することで、建物の剛性がより一層向上する。各コア内の室内空間は比較的に小さな空間となるが、設備コア、例えばトイレ、浴室、キッチン等の水回りの衛生設備の設置場所や、収納室として利用することで、占有面積、間取りの効率化が図れる。
【００１３】
この発明のＦＲＰサンドイッチパネル工法建物において、前記床が、上向きとした溝形のＦＲＰサンドイッチパネルと、この溝形のＦＲＰサンドイッチパネルの並びの上に載せた平形のＦＲＰサンドイッチパネルとで構成され、前記床を構成する溝形のＦＲＰサンドイッチパネル内に、重りとなる土砂を入れたものとしても良い。
このように床を構成する溝形のＦＲＰサンドイッチパネル内に土砂を入れることにより、建物を安定させると共に、風圧に対する耐久性を確保することができる。
【００１４】
この発明のＦＲＰサンドイッチパネル工法建物において、隣合うＦＲＰサンドイッチパネルを接続する接合部材が、隣合う両ＦＲＰサンドイッチパネルの縁部に渡って表裏にそれぞれ重ねられる平板状または断面Ｌ字形の条材であって、ガラス繊維強化プラスチック製であっても良い。
接合部材をこのように平板状または断面Ｌ字形の条材とし、表裏両面に用いることで、ＦＲＰサンドイッチパネルを堅固に、かつ雨水や風等が入る隙間が生じないように接合することができ、かつ接合形式が統一されて施工性が良い。また、接合部材がガラス繊維強化プラスチック製であると、耐候性に優れ、ＦＲＰサンドイッチパネルの外面との調和も得られる。
【００１５】
この発明のＦＲＰサンドイッチパネル工法建物において、前記外壁の一部に、この外壁に用いた平形のＦＲＰサンドイッチパネルと同じ幅および高さの開口付きパネルを設けても良い。開口付きパネルにおける開口は、出入り口となる開口であっても、窓開口であっても良い。
建物の開口部を、このように外壁に用いたＦＲＰサンドイッチパネルと同じ幅および高さ開口付きパネルで構成することで、ＦＲＰサンドイッチパネルに代えて開口付きパネルを用いることにより外壁に開口を設けることができる。そのため開口を容易に設けることができ、かつ開口の位置の選択も容易となる。
【００１６】
この発明のＦＲＰサンドイッチパネル工法建物において、前記ＦＲＰサンドイッチパネルで構成された屋根の上に、任意の材質の屋根葺き材を設けても良い。
屋根は前記ＦＲＰサンドイッチパネルのみで構成しても良いが、設置する地域に応じて、その地域の気候に応じた屋根葺き材を設けることで、降雨等に対する住環境が向上する。
【００１７】
この発明のＦＲＰサンドイッチパネル工法建物の構築方法は、
断熱材からなる芯材をガラス繊維強化プラスチックの表層で覆ってなり、横断面形状がＬ形、平形、および溝形のうちのいずれかの形状であるＦＲＰサンドイッチパネルを準備する過程と、
前記いずれかの横断面形状のＦＲＰサンドイッチパネルを地盤上に配置して床を構築する過程と、
この構築された床上の四隅にＬ形の横断面形状のＦＲＰサンドイッチパネルを配置した後、四隅のＦＲＰサンドイッチパネルの間に他のＦＲＰサンドイッチパネルを配置して外壁を構築する過程と、
この構築された外壁上に前記いずれかの横断面形状のＦＲＰサンドイッチパネルを並べて屋根を構築する過程とを含み、
前記各過程におけるＦＲＰサンドイッチパネルの運搬を全て人手で行うことを特徴とする。
この構築方法によると、簡易にかつ迅速に建物を構築することができる。
【００１８】
この発明のＦＲＰサンドイッチパネルは、断熱材からなる芯材に、未硬化のガラス繊維強化プラスチックを塗布して前記芯材の全体を覆う表層を形成してなり、断面形状がＬ形または溝形であって、仮設の住宅の構造体として壁および床に要求される強度を有し、かつ作業者２人で持って運べる重量であり、建物の外壁、床、および屋根のいずれかに使用されるものである。作業者２人で持って運べる重量は、例えば概ね８０Ｋｇ以内である。  このＦＲＰサンドイッチパネルは、仮設の住宅の構造体として壁および床に要求される強度を有するパネルであり、また断熱材からなる芯材に、未硬化のガラス繊維強化プラスチックを塗布したパネルであるため、この発明のＦＲＰサンドイッチパネル工法建物に用いることができる。また、表層のガラス繊維強化プラスチックは塗布により施されるものであるため、手作業で製造することができる。さらに、作業者２人で持って運べる重量であるため、運搬や建付け時に重機の使用が不要であり、途上国や災害時においても、施工が行える。
【発明の効果】
【００１９】
この発明のＦＲＰサンドイッチパネル工法建物は、断熱材からなる芯材をガラス繊維強化プラスチックの表層で覆ってなるＦＲＰサンドイッチパネルを用いた建物であって、横断面形状がＬ形、平形、および溝形のうちのいずれかの形状のＦＲＰサンドイッチパネルを複数枚組み合わせて、外壁、床、および屋根のいずれもが構成されることにより、容易な施工、短工期、ローコストで構築でき、主要部材の生産についても現地等で簡単に行え、大量供給が可能となる。
【００２０】
この発明のＦＲＰサンドイッチパネル工法建物の構築方法によると、断熱材からなる芯材をガラス繊維強化プラスチックの表層で覆ってなり、横断面形状がＬ形、平形、および溝形のうちのいずれかの形状であるＦＲＰサンドイッチパネルを準備する過程と、前記いずれかの横断面形状のＦＲＰサンドイッチパネルを地盤上に配置して床を構築する過程と、この構築された床上の四隅にＬ形の横断面形状のＦＲＰサンドイッチパネルを配置した後、四隅のＦＲＰサンドイッチパネルの間に他のＦＲＰサンドイッチパネルを配置して外壁を構築する過程と、この構築された外壁上に前記いずれかの横断面形状のＦＲＰサンドイッチパネルを並べて屋根を構築する過程とを含み、前記各過程におけるＦＲＰサンドイッチパネルの運搬を全て人手で行うため、容易な施工、短工期、ローコストで構築でき、主要部材の生産についても現地等で簡単に行え、大量供給が可能となる。
【００２１】
この発明のＦＲＰサンドイッチパネルは、断熱材からなる芯材に、ガラス繊維を敷き、塗料を塗布して乾燥させることにより、前記芯材の全体を覆う表層を形成してなり、断面形状がＬ形または溝形であって、仮設の住宅の構造体として壁および床に要求される強度を有し、かつ作業者２人で持って運べる重量であり、建物の外壁、床、および屋根のいずれかに使用されるものであるため、この発明のＦＲＰサンドイッチパネル工法建物に使用でき、また手作業で製造することができ、運搬や建付け時に重機の使用が不要であり、途上国や災害時においても、施工が行える。
【図面の簡単な説明】
【００２２】
【図１】この発明の一実施形態に係るＦＲＰサンドイッチパネル工法建物の分解斜視図である。
【図２】同建物を構成する各ＦＲＰサンドイッチパネルの断面図である。
【図３】同建物の水平断面図である。
【図４】図３のIV−IV断面図である。
【図５】図３のＶ−Ｖ断面図である。
【図６】同建物の正面図である。
【図７】同建物の左側面図である。
【図８】同建物の背面図である。
【図９】同建物の右側面図である。
【図１０】同建物の部分拡大断面図である。
【図１１】同建物の図１０と直交する方向の部分拡大断面図である。
【図１２】同建物の各ＦＲＰサンドイッチパネルの接合部を示す拡大断面図である。
【図１３】同建物の構築手順の説明図である。
【図１４】同ＦＲＰサンドイッチパネルの製造過程の説明図である。
【図１５】コア部の形状を変更した他の実施形態に係るＦＲＰサンドイッチパネル工法建物の水平断面図である。
【図１６】コア部の形状を変更したさらに他の実施形態に係るＦＲＰサンドイッチパネル工法建物の水平断面図である。
【図１７】連棟形式としたさらに他の実施形態に係るＦＲＰサンドイッチパネル工法建物の水平断面図である。
【図１８】使用するＦＲＰサンドイッチパネルの形状を変更したさらに他の実施形態に係るＦＲＰサンドイッチパネル工法建物の水平断面図である。
【発明を実施するための形態】
【００２３】
この発明の第１の実施形態を図１ないし図１４と共に説明する。このＦＲＰサンドイッチパネル工法建物１は、国内の自然災害時の仮設住宅、または途上国の低所得者用の住宅として用いられる建物である。図１に示すように、このＦＲＰサンドイッチパネル工法建物１は、２種類の床パネル５，６で構成される基礎兼用の床２上に、複数種類の壁パネル７〜９で構成される外壁３を構築し、この外壁３上に複数の屋根パネル１０からなる屋根４を設けて構成される。
前記各パネルは、開口付きの壁パネル９の他は、全てＦＲＰサンドイッチパネルからなり、かつ建物１の構造体と内外装を兼ねるパネルとされる。これら各ＦＲＰサンドイッチパネルは、後に説明するように、同じ形状で同じ仕様のもの、または長さが異なる他は同じ形状で同じ仕様のものが、床２と外壁３や、床２と屋根４等、床２、外壁３、および屋根４のうちの異なる箇所に使用されている。
【００２４】
床２は、図１１に示すように、前記２種類の床パネル５，６のうちの下側の床パネル５が、断面形状が上向きの溝形であり、上側の床パネル６は平形である。この平形の床パネル６は、溝形の床パネル５の２倍の幅を有し、２個並べて配置した溝形の床パネル５の上の全体に渡って載置される。この２つの溝形の床パネル５と１つの平形の床パネル６とで構成される床パネル組２ａを複数組横並びに並べて前記床２が構成される。溝形の床パネル５は、地盤ＧＬ上に配置され、または地盤ＧＬを床パネル組２ａの高さ以内の深さに若干掘削して均した面上に置かれる。各溝形の床パネル５内には、重りとなる土砂１１を入れる。土砂１１は、砂であっても、土であっても、また砂利や石であっても良い。
【００２５】
屋根４は、図１０のように屋根パネル１０を並べて構成されるが、その上に、任意の材質の屋根葺き材１５を設けても良い。同図の例では、屋根葺き材１５には金属製の折板を用いている。屋根葺き材１５には、この他に、この建物１の建設地域で得られる木材や他の天然材を用いても良い。
【００２６】
図１において、外壁３は、四隅にいずれもＬ形の壁パネル７が、それぞれ出隅が外向きとなるように設けられる。外壁３の各面の両隅のＬ形の壁パネル７の間に、平形の壁パネル８または他のＬ形の壁パネル７が設けられ、一部に、平形の壁パネル８に代えて、開口付きの壁パネル９が設けられる。
【００２７】
図３は、建物１の全体の水平断面であり、図３のＩＶ−ＩＶ断面を図４に、Ｖ−Ｖ断面を図５に示す。同建物１の正面図、左側面図、背面図、および右側面図を、図６〜図９にそれぞれ示す。同図の建物１は、横方向および奥行き方向の寸法を共にモジュール長さＭの６倍とした例である。モジュールＭは、建物１の基準の寸法とされる長さであり、適宜の長さ、例えば１，０００mmまたは９００mm等とされる。
図３に示すように、この例では、四隅に２つのＬ形の壁パネル７の組からなる溝形のコア部１２が構成されている。各コア部１２は、各隅に配置されたＬ形の壁パネル７に片側の隣に同じＬ形の壁パネル７を配置することで、溝形としている。隣に配置したＬ形の壁パネル７の一辺は、屋内に突出した袖壁７ａとなる。これら各コア部１２は、トイレ、浴室、キッチン等の水回りの衛生設備の設置場所や、収納室として利用される設備コアとされる。
【００２８】
図６，図８に示すように、開口付きの壁パネル９は、平形の壁パネル８と同じ幅および高さであり、出入り口となる開口１３または窓となる開口１４を有している。開口付きの壁パネル９は、図６に示すように、一つの壁パネル９に一つの開口１３を有するものであっても、また図８に示すように複数連結されて一つの開口１４を構成するものであっても良い。同図の開口１４は掃き出し窓となる。
【００２９】
開口付きの壁パネル９は、壁部分を有しないもの、例えばパネルフレーム、サッシ等の枠体、および戸等で構成されるものであっても、また壁部分を有するものであっても良い。前記の戸は、ガラス戸であっても、その他の戸であっても良い。壁部分を有する開口付きの壁パネル９の場合、その壁部分はＦＲＰサンドイッチパネル等で構成される。
【００３０】
前記開口付き壁パネル９を除く他の各壁パネル７，８、各床パネル５，６、および屋根パネル１０として用いられるＦＲＰサンドイッチパネルとしては、図２（Ａ）〜（Ｃ）に横断面形状をそれぞれ示すように、Ｌ形のＦＲＰサンドイッチパネルＰ１と、平形のＦＲＰサンドイッチパネルＰ２と、溝形のＦＲＰサンドイッチパネルＰ３との３種類の横断面形状および仕様のものを準備する。この準備された３種類の中から選んで、床２、外壁３、および屋根４に用いる。
【００３１】
この例では、Ｌ形のＦＲＰサンドイッチパネルＰ１は、壁パネル７として外壁２のみに用いているが、平形のＦＲＰサンドイッチパネルＰ２は、上側の床パネル６および壁パネル８として床２および外壁３に用い、溝形のＦＲＰサンドイッチパネルＰ３は、下側の床パネル５および屋根パネル１０として床２および屋根４に用いている。
【００３２】
ただし、平形のＦＲＰサンドイッチパネルＰ２は、床用と壁用とに、互いに長さの異なるものを準備して用いる。例えば、壁用の平形のＦＲＰサンドイッチパネルＰ２は、天井高さＨ（図１０）となる長さとされ、数値例を上げると２，４００mmの長さとされる。床用のＦＲＰサンドイッチパネルＰ２は、建物１の床２の長さによって異なるが、図３の平面プランの建物１の場合、左右および奥行きともモジュール幅Ｍの６倍の長さとされるため、その半分の３モジュール分の長さ３Ｍとされ、２つを長手方向に並べて用いられる。モジュール寸法Ｍは、前述のように、例えば９００mm，１，０００等に適宜に設定されるが、この例ではＭ＝１，０００mmとされ、床用の平形のＦＲＰサンドイッチパネルＰ２の長さは３，０００mmとしている。
【００３３】
Ｌ形のＦＲＰサンドイッチパネルＰ１の長さは、壁パネル８用のＦＲＰサンドイッチパネルＰ２と長さと同じ（この例では、２．４００mm）とし、溝形のＦＲＰサンドイッチパネルＰ３の長さは、建物１の床２の長さ（この例では６，０００mm）としている。
この長さの異なるパネルを別種類として数えても、４種類のＦＲＰサンドイッチパネルＰ１〜Ｐ３で床２，壁３，および屋根４が全て構成される。なお、床２の長さが天井高さＨの倍数となるように天井高さおよび床長さを設計すれば、平形のＦＲＰサンドイッチパネルＰ２についても１種類とでき、ＦＲＰサンドイッチパネルの種類数を合計で３種類とできる。
【００３４】
なお、ＦＲＰサンドイッチパネルの種類数は、少ない程、種類数削減による作業効率や材料コストの低減の効果に優れるが、数種類以下（例えば６種類以下）であれば、種類数削減による作業効率や材料コストの低減の効果が十分に得られる。このため、床２と屋根４とで用いるＦＲＰサンドイッチパネルの断面形状を異ならせるなど、図２の例よりも種類数を多くしても良い。
【００３５】
ＦＲＰサンドイッチパネルＰ１〜Ｐ３の断面寸法の例を示すと、Ｌ形のＦＲＰサンドイッチパネルＰ１は、両辺とも１モジュールの幅Ｍ（例えば１，０００mm）とされ、平形のＦＲＰサンドイッチパネルＰ２は１モジュールの幅Ｍとされる。溝形のＦＲＰサンドイッチパネルＰ３の幅は、モジュールの半幅であり、Ｍ／２（例えば５００mm）とされる。溝形のＦＲＰサンドイッチパネルＰ３の高さｈは、適宜の高さ（例えば２５０mm）とされる。
各ＦＲＰサンドイッチパネルＰ１〜Ｐ３の厚さは、例えばいずれも、断熱材からなる芯材２０の厚さが５０〜６０ｍｍ、ガラス繊維強化プラスチックからなる両面の各表層２１の厚さが３ｍｍ
程度とされる。各ＦＲＰサンドイッチパネルＰ１〜Ｐ３の重量は、いずれも、作業者２人で持って運べる重量であることが好ましく、例えば８０Ｋｇ程度以下とされる。
【００３６】
各ＦＲＰサンドイッチパネルＰ１〜Ｐ３の材質例につき説明すると、各ＦＲＰサンドイッチパネルＰ１〜Ｐ３は、断熱材からなる芯材２０の全体をガラス繊維強化プラスチックの表層２１で覆ったものである。芯材２０となる断熱材には、断熱性樹脂の発泡体、例えば発泡ポリウレタン、または発泡ポリスチレンとされる。この断熱材からなる芯材２０は、Ｌ形や溝形である場合も、強度等の観点から、一体成形されたものであることが好ましい。
【００３７】
各ＦＲＰサンドイッチパネルＰ１〜Ｐ３の製造方法の例としては、図１４に示すように、長尺の条材からなる断熱材の素材２０Ａを準備しておき、この素材２０Ａから、ＦＲＰサンドイッチパネルＰ１〜Ｐ３の全長となる長さＬの断熱材からなる芯材２０を切断して得る。この芯材２０の表面に、ハンドレイアップ等と呼ばれる手法、すなわちガラス繊維を敷き、ローラーや刷毛（図示せず）等を用いて、塗料を塗布して乾燥させることにより表層２１を成形する方法が採られる。塗布に際しては、図１４（Ｂ）に示すように上向きとなる片面に表層２１を塗布した後、同図（Ｃ）のように表裏反転させて上向けた残りの面の塗布を行う方法を採る。片面の塗布と反転させて残り片面を塗布する作業とを繰替えして多層に行っても良い。
【００３８】
図１２（Ａ）〜（Ｄ）は、各ＦＲＰサンドイッチパネルＰ１〜Ｐ３の相互の接続部の構成例をそれぞれ示す。接続には、隣合うＦＲＰサンドイッチパネルＰ１〜Ｐ３の縁部に渡って表裏にそれぞれ重ねられる平板状の接合部材２３または断面Ｌ字形の接合部材２４が用いられる。各接合部材２３，２４は、いずれも板状の条材であって、ガラス繊維強化プラスチック製であり、接合する辺の全長に渡って設けられる。接合部材２３，２４の寸法例を挙げると、例えば、それぞれ９０×４、７５×７５×４（単位はいずれもmm）とされる。ＦＲＰサンドイッチパネルＰ１〜Ｐ３に重ねた接合部材２３，２４は、例えばタッピングビス等の釘状の固着具２５を、接合部材２３，２４を貫通するようにＦＲＰサンドイッチパネルＰ１〜Ｐ３にねじ込み、または打ち込んで接合する。固着具２５は、接合部から雨水が浸入しないように防水テープ等を使用し、接合部材２３，２４が密着される間隔で設ける。釘状の固着具２５を用いる代わりに、接着剤で接着しても良く、また釘状の固着具２５と接着剤とを併用しても良い。
【００３９】
図１２（Ａ）は、平形のＦＲＰサンドイッチパネルＰ２の相互の接続部、例えば平形の壁パネル８同士の接合部を示し、両面に平板状の接合部材２３を重ねている。Ｌ形のＦＲＰサンドイッチパネルＰ１の端部に平形のＦＲＰサンドイッチパネルＰ１を突き合わせて接続する接続部も、図１２（Ａ）と同様の接続形態とされる。
図１２（Ｂ）は、Ｌ形のＦＲＰサンドイッチパネルＰ１の一辺の外側面に、他の一辺と揃うように平形のＦＲＰサンドイッチパネルＰ２の端部を突き合わせて接合する接合部を示す。具体的には、壁パネル７と壁パネル８との接合部である。この接合部では、平板状の接合部材２３を外側に、Ｌ形の接合部材２４を内側の隅に重ねて設けている。
【００４０】
図１２（Ｃ）は、上向きの溝形のＦＲＰサンドイッチパネルＰ３の下面に平形またはＬ形のＦＲＰサンドイッチパネルＰ２，Ｐ１を接合する接合箇所を示す。具体的には、屋根パネル１０の下面に壁パネル７，８を接合する接合部（図１１のXIIC部) である。この接合部でも、平板状の接合部材２３を外側に、Ｌ形の接合部材２４を内側の隅に重ねて設けている。
【００４１】
図１２（Ｄ）は、平形のＦＲＰサンドイッチパネルＰ２の上面に平形またはＬ形のＦＲＰサンドイッチパネルＰ２，Ｐ１を接合する接合部を示す。具体的には、上側の床パネル６の上面に壁パネル７，８を接合する接合部（図１１のXIID部) である。この接合部でも、平板状の接合部材２３を外側に、Ｌ形の接合部材２４を内側の隅に重ねて設けている。ただし、平板状の接合部材２３には床パネル６の下面よりも下方に突出する幅のものとし、雨水の浸入防止の確実を図っている。
【００４２】
次に、図１３と共に施工手順を説明する。まず、地盤ＧＬ上に下側の床パネル５を設置する（Ｓ０１）。この床パネル５内に重りとなる土砂１１（図１１）を入れた後、上側の床パネル６を設置する（Ｓ０２）。
各隅のＬ形の壁パネル７を設置する（Ｓ０３）。２つの壁パネル７でコア部１２を構成する場合は、そのコア部１２を構成する両方のＬ形の壁パネル７を設置する。
【００４３】
この後、壁パネル７の上端を接続する頭繋ぎ材２６を設置する（Ｓ０４）。この頭繋ぎ材２６は、壁パネル７〜９と屋根パネル１０とを接合する前記接合部材２３，２４であっても、またこれら接合部材２３，２４とは別に設けられたものであっても良い。ついで、平形の壁パネル８および開口付きの壁パネル９を設置する（Ｓ０５）。
【００４４】
この上に屋根パネル１０を設置する（Ｓ０６）。このように床２，外壁３，および屋根４の各パネル５〜１０を設置した後、パネル間の前記接合部材２３，２４（接合部材２４は、図１３には現れていない）を設置する（Ｓ０７）。
最後に、屋根パネル１０の上に、現地仕様による屋根葺き材１５を設置し（Ｓ０８）、建物１の設備や配管を除く本体部分が完成する（Ｓ０９）。
【００４５】
上記構成のＦＲＰサンドイッチパネル工法建物１によると、ＦＲＰサンドイッチパネルＰ１〜Ｐ３が、建物１の構造体と内外装を兼ねる。この構造体と内外装を兼ねるＦＲＰサンドイッチパネルＰ１〜Ｐ３により、外壁３、床２、および屋根４を全て構成するため、ＦＲＰサンドイッチパネルＰ１〜Ｐ３を接続するだけで建物１を構築することができる。ＦＲＰサンドイッチパネルＰ１〜Ｐ３の表面は耐候性に優れ、また綺麗であるため、外装となる塗装や内装となるクロス貼り等が省略できる。また、ＦＲＰサンドイッチパネルＰ１〜Ｐ３は、芯材２０に発泡樹脂等を用いることで、建物構造上で必要な強度や断熱性を持つパネルとでき、かつ軽量なパネルとできて、必要な大きさで必要強度を持つものを、人手で運搬可能な重量に収めることができる。しかも、所定長さに現場で切断し、または所定長さとして準備した芯材２０に、ガラス繊維強化プラスチックの表層２１を手作業よる塗布等で施すことにより生産できる。そのため、特別な製造機械を必要としない。
前記ＦＲＰサンドイッチパネルＰ１〜Ｐ３は、横断面形状をＬ形、平形、および溝形のうちのいずれかの形状としておくことで、その組み合わせによって、外壁３、床２、および屋根４のいずれもが構成でき、種類数が少なくて済む。
【００４６】
このように、ＦＲＰサンドイッチパネルＰ１〜Ｐ３により外壁３、床２、および屋根４を全て構成できて、建材の種類数を削減でき、各部の接合構造も統一でき、かつ各ＦＲＰサンドイッチパネルＰ１〜Ｐ３が軽量なものとできるため、特別な組立時の機材、特殊な施工技術が不要であり、だれでもが簡単に構築でき、施工性に優れる。ＦＲＰサンドイッチパネルＰ１〜Ｐ３自体も、特別な製造機械を要することなく、芯材２０と塗布用のＦＲＰを準備しておくことで、建設現場等で簡単に製造できるため、量産性に優れ、ＦＲＰサンドイッチパネルＰ１〜Ｐ３の完成品を準備しておく必要がない。これらより、このＦＲＰサンドイッチパネル工法建物１によると、大規模自然災害の発生時等に、短期での大量供給が可能になる。
また、国内における仮設住宅と途上国で大量供給が要望される住宅とは、要求水準に共通性があるため、共通化を図ることで、国内と途上国とで必要に応じて相互に供給し合うことできる。
【００４７】
このように、ローコスト、短工期、容易な施工で構築でき、主要部材の生産についても現地等で簡単に行え、かつ短期間での大量供給が可能になる。
また、断熱材からなる芯材２０を用いたＦＲＰサンドイッチパネルＰ１〜Ｐ３は、断熱性および表層の耐候性や意匠性も優れるため、コストに対応する住環境の向上にも繋がる。
【００４８】
また、同じＦＲＰサンドイッチパネルＰ１〜Ｐ３を、外壁３、床２、および屋根４のうちの複数箇所に用いるため、ＦＲＰサンドイッチパネルＰ１〜Ｐ３の種類数を少なくできる。この実施形態では断面形状を３種類とし、長さの違いを含めても４種類としている。このようにＦＲＰサンドイッチパネルＰ１〜Ｐ３の種類数を少なくしたため、ＦＲＰサンドイッチパネルＰ１〜Ｐ３の生産の効率化、および形状統一による接合作業の統一化による簡易な施工が実現できる。各種類のＦＲＰサンドイッチパネルＰ１〜Ｐ３を、上記のように互いに全て同一幅、または基準幅の倍数幅にした場合は、より一層の生産の効率化が図れる。
ＦＲＰサンドイッチパネルＰ１〜Ｐ３の長さについては、１種類に統一することが好ましいが、上記のように２種類程度に種類数を増やしても良い。ＦＲＰサンドイッチパネルＰ１〜Ｐ３を生産するにつき、上記のように長尺の断熱材２０Ａ（図１４）を準備しておき、必要長さに切断してガラス繊維強化プラスチックを塗布することで生産することができるためである。
【００４９】
上記のように外壁３の四隅に、出隅が外向きとなるように、Ｌ形のＦＲＰサンドイッチパネルＰ１を用いた場合は、強度等に優れる。Ｌ形のＦＲＰサンドイッチパネルＰ１は曲げ剛性が高いため、これを外壁３の四隅に用いることで、特に部材を追加することなく、建物全体の剛性を高めることができる。またＬ形のＦＲＰサンドイッチパネルＰ１は自立できるため、建物の組立時に先に４隅のＬ形のＦＲＰサンドイッチパネルＰ１を設置することで、これを利用して他のＦＲＰサンドイッチパネルＰ２，Ｐ３を組付けることができ、施工性も向上する。
【００５０】
ＦＲＰサンドイッチパネルＰ１からなる２つのＬ形の壁パネル７により溝形のコア部１２を構成した場合は、建物の剛性がより一層向上する。各コア部１２内の室内空間は比較的に小さな空間となるが、設備コア、例えばトイレ、浴室、キッチン等の水回りの衛生設備の設置場所や、収納室として利用することで、適切な広さとなり、占有面積、間取りの効率化が図れる。コア部１２は必ずしも設けなくても良いが、上記のようにコア部１２を設けることで、建物１の強度向上と設備配置空間の形成とが同時に行える。
【００５１】
また、床２が、上記のように溝形のＦＲＰサンドイッチパネルＰ３と平形のＦＲＰサンドイッチパネルＰ２とで構成される場合は、重りとなる土砂１１を入れることができ、こにより建物１を安定させると共に、風圧に対する耐久性を持たせることができる。
【００５２】
接合部材２３，２４は、隣合う両ＦＲＰサンドイッチパネルＰ１〜Ｐ３の縁部に渡って表裏にそれぞれ重ねられる平板状または断面Ｌ字形の条材としたため、雨水や風等が入る隙間を無くすことができ、かつ接合形式が統一されて施工性が良い。また、接合部材２３，２４がガラス繊維強化プラスチック製であると、耐候性に優れ、ＦＲＰサンドイッチパネルＰ１〜Ｐ３の外面との調和も得られる。
【００５３】
建物１の開口部１３，１４を、外壁３に用いたＦＲＰサンドイッチパネルＰ２と同じ幅および高さ開口付きパネル９で構成した場合は、ＦＲＰサンドイッチパネルＰ２に代えて開口付きパネルを用いることで外壁３に開口１３，１４を設けることができる。そのため開口１３，１４を容易に設けることができ、開口１３，１４の選択も容易に行える。
【００５４】
屋根４は、ＦＲＰサンドイッチパネルＰ３のみで構成しても良いが、設置する地域に応じて、その地域の気候に応じた屋根葺き材２５を設けることで、降雨等に対する住環境が向上する。
【００５５】
前記各ＦＲＰサンドイッチパネルＰ１〜Ｐ３は、上記のように、断熱材からなる芯材２０に、未硬化のガラス繊維強化プラスチックを塗布して表層２１を形成してなり、断面形状がＬ形または溝形であって、仮設の住宅の構造体として壁および床に要求される強度を有し、かつ作業者２人で持って運べる重量である。このように、表層２１のガラス繊維強化プラスチックは塗布により施されるため、手作業で製造することができる。さらに、作業者２人で持って運べる重量であるため、運搬や建付け時に重機の使用が不要であり、途上国や災害時においても、施工が行える。
【００５６】
なお、前記実施形態では、建物１の隅に設けるコア部１２を２つのＬ形の壁パネル７で溝形に形成したが、図１５の一部のコア部１２Ａのように、溝形の部分にＬ形の壁パネル７と平形の壁パネル８とを追加して箱形のコア部１２Ａとし、その室内の壁の一部を開口１６としても良い。
また、図１６の一部のコア部１２Ｂのように、外壁３における２つのＬ形の壁パネル７の間に平形の壁パネル８を追加して箱形の大きなコア部１２Ｂとしても良い。
【００５７】
図１７は、図３に示す建物１を複数（図示の例では３つ）並べて複数の住戸を持つ連棟型の１棟の建物１Ａとしたものである。この場合、間仕切り３Ａを構成壁パネル８は、隣合う片方の単位の建物１から省き、１重として部材を節減している。このように、連棟の住戸となる建物１Ａと、戸建の建物１とを同じ部材で構築することができる。
【００５８】
図１８は、このさらに他の実施形態を示す。この実施形態では、床２をＬ形の２つの床パネル５Ａ，６Ａを上下に箱形に組んだ物の並びで構成している。これら２つの床パネル５Ａ，６Ａは、互いに同じ構成のものであり、外壁３を構成のＬ形の壁パネル７と長さが異なる他は同じ形状，仕様のＦＲＰサンドイッチパネルＰ１を用いている。箱形とした各床パネル５Ａ，６Ａの組の中には、前記実施形態と同様に土砂１１（図１８には図示せず）を入れておく。屋根４には、この例では屋根専用の溝形のＦＲＰサンドイッチパネルからなる屋根パネル１０Ａを用いている。
【００５９】
この構成の場合、床２の床パネル５Ａ，６Ａと、外壁３の壁パネル７とに、同じ断面形状のＦＲＰサンドイッチパネルＰ１が用いられ、部材種類数の削減が図られているが、屋根４には専用の屋根パネル１０Ａを用いている。その他の構成，効果は、図１〜図１４と共に説明した第１の実施形態と同様である。
【符号の説明】
【００６０】
１…ＦＲＰサンドイッチパネル工法建物
１Ａ…連想のＦＲＰサンドイッチパネル工法建物
２…床
３…外壁
４…屋根
５，６…床パネル
５Ａ，６Ａ…床パネル
７〜９…壁パネル
７ａ…袖壁
１０，１０Ａ…屋根パネル
１１…土砂
１２，１２Ａ，１２Ｂ…コア部
１３，１４…開口
１５…屋根葺き材
２０…芯材
２１…表層
２３，２４…接合部材
２５…固着具
Ｐ１〜Ｐ３…ＦＲＰサンドイッチパネル
【図１】
2015045125.tif 000003
【図２】
2015045125.tif 000004
【図３】
2015045125.tif 000005
【図４】
2015045125.tif 000006
【図５】
2015045125.tif 000007
【図６】
2015045125.tif 000008
【図７】
2015045125.tif 000009
【図８】
2015045125.tif 000010
【図９】
2015045125.tif 000011
【図１０】
2015045125.tif 000012
【図１１】
2015045125.tif 000013
【図１２】
2015045125.tif 000014
【図１３】
2015045125.tif 000015
【図１４】
2015045125.tif 000016
【図１５】
2015045125.tif 000017
【図１６】
2015045125.tif 000018
【図１７】
2015045125.tif 000019
【図１８】
2015045125.tif 000020
【手続補正書】
【提出日】平成26年11月7日(2014.11.7)
【手続補正１】
【補正対象書類名】特許請求の範囲
【補正対象項目名】全文
【補正方法】変更
【補正の内容】
【特許請求の範囲】
【請求項１】
断熱材からなる芯材の全体を塗布によるガラス繊維強化プラスチックの表層で覆ってなるＦＲＰサンドイッチパネルを用いた建物であって、
横断面形状がＬ形、平形、および溝形のうちのいずれかの形状のＦＲＰサンドイッチパネルを複数枚組み合わせて、外壁、床、および屋根のいずれもが構成され、
前記外壁は、Ｌ形と平形のＦＲＰサンドイッチパネルを用い、かつ隅部に前記Ｌ形のＦＲＰサンドイッチパネルを用いて構成され、
前記床は、上向きとした溝形のＦＲＰサンドイッチパネル上の全体に渡って平形のＦＲＰサンドイッチパネルを載置した床パネル組を複数組横並びに並べて構成され、
前記屋根は、上向きとした溝形のＦＲＰサンドイッチパネルを複数横並びに並べて構成され、
前記床と屋根の溝形のＦＲＰサンドイッチパネルには、長さの他は互いに同じ仕様のＦＲＰサンドイッチパネルを用いた、
ことを特徴とするＦＲＰサンドイッチパネル工法建物。
【請求項２】
請求項１に記載のＦＲＰサンドイッチパネル工法建物において、１棟の建物に用いる前記ＦＲＰサンドイッチパネルの横断面形状の種類数を６種類以下とし、同種類のＦＲＰサンドイッチパネルを、前記外壁、床、および屋根のうちの複数箇所に用いたＦＲＰサンドイッチパネル工法建物。
【請求項３】
請求項１または請求項２に記載のＦＲＰサンドイッチパネル工法建物において、外壁の四隅に、出隅が外向きとなるように、Ｌ形のＦＲＰサンドイッチパネルを用いたＦＲＰサンドイッチパネル工法建物。
【請求項４】
断熱材からなる芯材をガラス繊維強化プラスチックの表層で覆ってなるＦＲＰサンドイッチパネルを用いた建物であって、
横断面形状がＬ形、平形、および溝形のうちのいずれかの形状のＦＲＰサンドイッチパネルを複数枚組み合わせて、外壁、床、および屋根のいずれもが構成され、
外壁の四隅に、出隅が外向きとなるように、Ｌ形のＦＲＰサンドイッチパネルを用い、  前記外壁の各隅に配置されたＬ形のＦＲＰサンドイッチパネルの片側の隣に配置されるパネルをＬ形のＦＲＰサンドイッチパネルとして、これら隣合う２つのＦＲＰサンドイッチパネルにより溝形のコア構成したことを特徴とするＦＲＰサンドイッチパネル工法建物。
【請求項５】
断熱材からなる芯材をガラス繊維強化プラスチックの表層で覆ってなるＦＲＰサンドイッチパネルを用いた建物であって、
横断面形状がＬ形、平形、および溝形のうちのいずれかの形状のＦＲＰサンドイッチパネルを複数枚組み合わせて、外壁、床、および屋根のいずれもが構成され、
前記床が、上向きとした溝形のＦＲＰサンドイッチパネルと、この溝形のＦＲＰサンドイッチパネルの並びの上に配置した平形のＦＲＰサンドイッチパネルとで構成され、前記床を構成する溝形のＦＲＰサンドイッチパネル内に、重りとなる土砂を入れたＦＲＰサンドイッチパネル工法建物。
【請求項６】
請求項１ないし請求項５のいずれか１項に記載のＦＲＰサンドイッチパネル工法建物において、隣合うＦＲＰサンドイッチパネルを接続する接合部材が、隣合う両ＦＲＰサンドイッチパネルの縁部に渡って表裏にそれぞれ重ねられる平板状または断面Ｌ字形の条材であって、ガラス繊維強化プラスチック製であるＦＲＰサンドイッチパネル工法建物。
【請求項７】
請求項１ないし請求項６のいずれか１項に記載のＦＲＰサンドイッチパネル工法建物において、前記外壁の一部に、この外壁に用いた平形のＦＲＰサンドイッチパネルと同じ幅および高さの開口付きパネルを設けたＦＲＰサンドイッチパネル工法建物。
【請求項８】
請求項１ないし請求項７のいずれか１項に記載のＦＲＰサンドイッチパネル工法建物において、前記ＦＲＰサンドイッチパネルで構成された屋根の上に、任意の材質の屋根葺き材を設けたＦＲＰサンドイッチパネル工法建物。
【手続補正３】
【補正対象書類名】明細書
【補正対象項目名】０００１
【補正方法】変更
【補正の内容】
【０００１】
この発明は、仮設住宅や発展途上国向け住宅等とされるＦＲＰサンドイッチパネル工法建物に関する。
【手続補正４】
【補正対象書類名】明細書
【補正対象項目名】０００６
【補正方法】変更
【補正の内容】
【０００６】
この発明の目的は、容易な施工、短工期、ローコストで構築でき、主要部材の生産についても現地等で簡単に行え、大量供給が可能なＦＲＰサンドイッチパネル工法建物を提供することである。
【手続補正５】
【補正対象書類名】明細書
【補正対象項目名】０００７
【補正方法】変更
【補正の内容】
【０００７】
この発明のＦＲＰサンドイッチパネル工法建物は、断熱材からなる芯材をガラス繊維強化プラスチックの表層で覆ってなるＦＲＰサンドイッチパネルを用いた建物であって、横断面形状がＬ形、平形、および溝形のうちのいずれかの形状のＦＲＰサンドイッチパネルを複数枚組み合わせて、外壁、床、および屋根のいずれもが構成されたことを基本構成とする。
すなわち、外壁、床、および屋根を全てパネル構造としたパネル工法建物とし、そのパネルにＦＲＰサンドイッチパネルを用いる。前記芯材となる断熱材は、各種の発泡樹脂等を用いるが、断熱性があり、かつ建物の外壁、床、屋根として用いられる強度を有するＦＲＰサンドイッチパネルを構成できるものであれば、特に限定されない。
【手続補正６】
【補正対象書類名】明細書
【補正対象項目名】０００８
【補正方法】変更
【補正の内容】
【０００８】
この構成によると、芯材と表層とを一体化したＦＲＰサンドイッチパネルが建物の構造体と内外装を兼ねる。この構造体と内外装を兼ねるＦＲＰサンドイッチパネルにより、外壁、床、および屋根を全て構成するため、ＦＲＰサンドイッチパネルを接続して組み立てるだけで建物を構築することができる。ＦＲＰサンドイッチパネルは、芯材に発泡樹脂等を用いることで、建物構造上で必要な強度や断熱性を持つパネルとすることができ、かつ軽量なパネルとできる。そのため、必要な大きさで必要強度を持つものを、人手で運搬可能な重量に収めることができる。しかも、断熱材は所定長さに製造現場で切断し、または所定長さとして準備した芯材に、ガラス繊維強化プラスチックの表層を手作業による塗布等で施すことにより生産できる。そのため、特別な製造機械を必要としない。
前記ＦＲＰサンドイッチパネルは、横断面形状がＬ形、平形、および溝形のうちのいずれかの形状としておくことで、その組み合わせによって、外壁、床、および屋根のいずれもが構成でき、種類数が少なくて済む。しかも、前記Ｌ形、平形、および溝形のＦＲＰサンドイッチパネルを組み合わせることで、自由な間取りが実現できる。
この発明における第１のＦＲＰサンドイッチパネル工法建物は、上記基本構成のＦＲＰサンドイッチパネル工法建物において、断熱材からなる芯材の全体を塗布によるガラス繊維強化プラスチックの表層で覆ってなるＦＲＰサンドイッチパネルを用い、
前記外壁は、Ｌ形と平形のＦＲＰサンドイッチパネルを用い、かつ隅部に前記Ｌ形のＦＲＰサンドイッチパネルを用いて構成され、
前記床は、上向きとした溝形のＦＲＰサンドイッチパネル上の全体に渡って平方のＦＲＰサンドイッチパネルを載置した床パネル組を複数組横並びに並べて構成され、
前記屋根は、上向きとした溝形のＦＲＰサンドイッチパネルを複数横並びに並べて構成され、
前記床と屋根の溝形のＦＲＰサンドイッチパネルには、長さの他は互いに同じ仕様のＦＲＰサンドイッチパネルを用いたものである。
【手続補正７】
【補正対象書類名】明細書
【補正対象項目名】００１１
【補正方法】変更
【補正の内容】
【００１１】
前記基本構成のＦＲＰサンドイッチパネル工法建物において、外壁の四隅に、出隅が外向きとなるように、Ｌ形のＦＲＰサンドイッチパネルを用いることが好ましい。
Ｌ形のＦＲＰサンドイッチパネルは、曲げ剛性が高いため、これを外壁の四隅に用いることで、特に部材を追加することなく、建物全体の剛性を高めることができる。またＬ形のＦＲＰサンドイッチパネルは自立できるため、建物の組立時に先に４隅のＬ形のＦＲＰサンドイッチパネルを設置することで、これを利用して他のＦＲＰサンドイッチパネルの組付けることができ、施工性も向上する。
【手続補正８】
【補正対象書類名】明細書
【補正対象項目名】００１２
【補正方法】変更
【補正の内容】
【００１２】
この発明における第２のＦＲＰサンドイッチパネル工法建物は、上記のように外壁の四隅にＬ形のＦＲＰサンドイッチパネルを用いる場合に、各隅に配置されたＬ形のＦＲＰサンドイッチパネルの片側の隣に配置されるパネルをＬ形のＦＲＰサンドイッチパネルとして、これら隣合う２つのＦＲＰサンドイッチパネルにより溝形のコア部を構成する。この場合は、隣に配置したＬ形のＦＲＰサンドイッチパネルは、片方の辺が袖壁として屋内に突出することになる。
このように２つのＦＲＰサンドイッチパネルにより溝形のコア構成することで、建物の剛性がより一層向上する。各コア内の室内空間は比較的に小さな空間となるが、設備コア、例えばトイレ、浴室、キッチン等の水回りの衛生設備の設置場所や、収納室として利用することで、占有面積、間取りの効率化が図れる。
【手続補正９】
【補正対象書類名】明細書
【補正対象項目名】００１３
【補正方法】変更
【補正の内容】
【００１３】
この発明における第３のＦＲＰサンドイッチパネル工法建物は、前記基本構成のＦＲＰサンドイッチパネル工法建物において、前記床が、上向きとした溝形のＦＲＰサンドイッチパネルと、この溝形のＦＲＰサンドイッチパネルの並びの上に載せた平形のＦＲＰサンドイッチパネルとで構成され、前記床を構成する溝形のＦＲＰサンドイッチパネル内に、重りとなる土砂を入れたものである。
このように床を構成する溝形のＦＲＰサンドイッチパネル内に土砂を入れることにより、建物を安定させると共に、風圧に対する耐久性を確保することができる。
【手続補正１０】
【補正対象書類名】明細書
【補正対象項目名】００１７
【補正方法】変更
【補正の内容】
【００１７】
参考提案例に係るＦＲＰサンドイッチパネル工法建物の構築方法は、
断熱材からなる芯材をガラス繊維強化プラスチックの表層で覆ってなり、横断面形状がＬ形、平形、および溝形のうちのいずれかの形状であるＦＲＰサンドイッチパネルを準備する過程と、
前記いずれかの横断面形状のＦＲＰサンドイッチパネルを地盤上に配置して床を構築する過程と、
この構築された床上の四隅にＬ形の横断面形状のＦＲＰサンドイッチパネルを配置した後、四隅のＦＲＰサンドイッチパネルの間に他のＦＲＰサンドイッチパネルを配置して外壁を構築する過程と、
この構築された外壁上に前記いずれかの横断面形状のＦＲＰサンドイッチパネルを並べて屋根を構築する過程とを含み、
前記各過程におけるＦＲＰサンドイッチパネルの運搬を全て人手で行うことを特徴とする。
この構築方法によると、簡易にかつ迅速に建物を構築することができる。
【手続補正１１】
【補正対象書類名】明細書
【補正対象項目名】００１８
【補正方法】変更
【補正の内容】
【００１８】
参考提案例に係るＦＲＰサンドイッチパネルは、断熱材からなる芯材に、未硬化のガラス繊維強化プラスチックを塗布して前記芯材の全体を覆う表層を形成してなり、断面形状がＬ形または溝形であって、仮設の住宅の構造体として壁および床に要求される強度を有し、かつ作業者２人で持って運べる重量であり、建物の外壁、床、および屋根のいずれかに使用されるものである。作業者２人で持って運べる重量は、例えば概ね８０Ｋｇ以内である。
このＦＲＰサンドイッチパネルは、仮設の住宅の構造体として壁および床に要求される強度を有するパネルであり、また断熱材からなる芯材に、未硬化のガラス繊維強化プラスチックを塗布したパネルであるため、この発明のＦＲＰサンドイッチパネル工法建物に用いることができる。また、表層のガラス繊維強化プラスチックは塗布により施されるものであるため、手作業で製造することができる。さらに、作業者２人で持って運べる重量であるため、運搬や建付け時に重機の使用が不要であり、途上国や災害時においても、施工が行える。
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】